(57)【特許請求の範囲】
【請求項１】
冷蔵庫本体に対して扉を開閉自在に回動させるヒンジ部材を備え、
前記ヒンジ部材は、
冷蔵庫本体側に固定される第１ヒンジ部材と、冷蔵庫の扉側に固定される第２ヒンジ部材と、前記第１ヒンジ部材と前記第２ヒンジ部材とが相対的に回動する際の回動中心となる円筒形のピボット軸と、を有し、
前記第２ヒンジ部材は、
前記ピボット軸を回動自在に軸支する有底円筒部と、
前記有底円筒部の内部の底面から前記ピボット軸の円筒内部に突出する棒状部材と、を備え、
前記第２ヒンジ部材が外方に引っ張られて変形または破損した場合も、前記棒状部材が、前記ピボット軸の円筒内部の内壁に引っ掛かることで前記扉の脱落を防止する
ことを特徴とする冷蔵庫。
【請求項２】
冷蔵庫の扉の角部を覆うエンドピース及びサイドピースと、
冷蔵庫本体に対して扉を開閉自在に回動させるヒンジ部材と、を備え、
前記ヒンジ部材は、
冷蔵庫本体側に固定される第１ヒンジ部材と、冷蔵庫の扉側に固定される第２ヒンジ部材と、前記第１ヒンジ部材と前記第２ヒンジ部材とが相対的に回動する際の回動中心となる円筒形のピボット軸と、を有し、
前記第２ヒンジ部材は、
平板部の上下対向面に交差する方向に延出する有底円筒部と、
前記有底円筒部内部の底面から前記ピボット軸の円筒内部に突出する棒状部材と、を備え、
前記棒状部材の周囲を前記ピボット軸の外周部が取り囲み、さらに前記ピボット軸の外周部を前記有底円筒部が取り囲む扉脱落防止構造を構成し、
前記エンドピースの端には、前記サイドピースの上端面に挿入される前記平板部が形成され、当該平板部の下面から前記有底円筒部が延出し、
前記エンドピース又は前記サイドピースが破断して、前記有底円筒部を介して前記第２ヒンジ部材が外方に引っ張られて変形または破損した場合も、前記棒状部材が、前記ピボット軸の円筒内部の内壁に引っ掛かることで前記扉の脱落を防止する
ことを特徴とする冷蔵庫。
【請求項３】
前記棒状部材は、前記有底円筒部に螺着されるネジ、または前記有底円筒部に圧入される剛性部材である
ことを特徴とする請求項１又は請求項２に記載の冷蔵庫。
【請求項４】
前記第２ヒンジ部材は、
前記有底円筒部内部の底面から前記ピボット軸の円筒内部に突出するネジボスと、前記ネジボス内部の底に形成された切り子溜口と、を備える
ことを特徴とする請求項１又は請求項２に記載の冷蔵庫。
【発明の詳細な説明】
【技術分野】
【０００１】
本発明は、冷蔵庫に関する。
【背景技術】
【０００２】
冷蔵庫に備えられた貯蔵室の開口部を開閉する扉の開閉方式の一つに、扉を上下方向から挟み込んだピンを中心に回動させて扉の開閉を行うヒンジ式がある。ヒンジ式の扉は、扉の上部と下部にそれぞれ上ヒンジと下ヒンジが設けられている。ヒンジ式の扉は、比較的大きい面積を持つものであっても、小さい力で開閉可能であり、近年の冷蔵庫では、主に最上段に位置する冷蔵室に用いられている。
【０００３】
特許文献１には、３辺を形成する押出枠に枠金具を介して、ハンドル取付枠を仮止めするに当り、上記枠金具を押出枠の上辺、下辺に取り付けられる補強部材と一体に形成したことを特徴とする冷蔵庫の扉が記載されている。
【先行技術文献】
【特許文献】
【０００４】
【特許文献１】特許３３０３５１８号公報
【発明の概要】
【発明が解決しようとする課題】
【０００５】
近年、冷蔵庫の横方向の省スペース化が要請されている。横方向の省スペース化を図った冷蔵庫では、美観上の観点から、冷蔵庫の扉の側面形状がよりフラットな形状となっている。しかしながら、冷蔵庫の扉の側面形状がよりフラットな形状に変更されると、扉脱落防止金具の設置スペースが確保できなくなる課題がある。
【０００６】
本発明は、このような事情に鑑みてなされたものであり、冷蔵庫の横方向の省スペース化を図り、かつ扉脱落を防止する冷蔵庫を提供することを課題とする。
【課題を解決するための手段】
【０００７】
上記課題を解決するために、本発明の冷蔵庫は、冷蔵庫本体に対して扉を開閉自在に回動させるヒンジ部材を備え、前記ヒンジ部材は、冷蔵庫本体側に固定される第１ヒンジ部材と、冷蔵庫の扉側に固定される第２ヒンジ部材と、前記第１ヒンジ部材と前記第２ヒンジ部材とが相対的に回動する際の回動中心となる円筒形のピボット軸と、を有し、前記第２ヒンジ部材は、前記ピボット軸を回動自在に軸支する有底円筒部と、前記有底円筒部内部の底面から前記ピボット軸の円筒内部に突出する棒状部材と、を備え、前記第２ヒンジ部材が外方に引っ張られて変形または破損した場合も、前記棒状部材が、前記ピボット軸の円筒内部の内壁に引っ掛かることで前記扉の脱落を防止することを特徴とする。
【発明の効果】
【０００８】
本発明によれば、冷蔵庫の横方向の省スペース化を図り、かつ扉脱落を防止する冷蔵庫を提供することができる。
【図面の簡単な説明】
【０００９】
【図１】本発明の実施形態に係る冷蔵庫の正面図である。
【図２】上記実施形態に係る冷蔵庫の冷蔵室右扉の上ヒンジの構造を示す斜視図である。
【図３】上記実施形態に係る冷蔵庫の冷蔵室右扉の上エンドピースの構成を示す斜視図である。
【図４】上記実施形態に係る冷蔵庫の冷蔵室右扉の脱落防止構造を示す斜視図である。
【図５】図４のＢ−Ｂ断面図である。
【図６】比較例の冷蔵庫の冷蔵室右扉の脱落防止構造を示す斜視図である。
【図７】比較例の冷蔵庫の冷蔵室右扉の脱落防止構造を示す斜視図である。
【図８】比較例の冷蔵庫本体のヒンジカバーを外した上ヒンジ部分を上方から見た図である。
【図９】比較例の冷蔵庫本体の上エンドピースを透過して金具部分を上方から見た図である。
【発明を実施するための形態】
【００１０】
以下、本発明を実施するための形態（本実施形態）を説明する。ただし、本実施形態は、以下の内容に何ら制限されず、本発明の要旨を損なわない範囲内で任意に変更して実施可能である。
まず、比較例について説明する。
【００１１】
図６および図７は、比較例の冷蔵室右扉の脱落防止構造を示す斜視図である。
図６に示すように、冷蔵庫本体１０００の正面に、冷蔵室右扉１３００を備えている。冷蔵室右扉１３００の上部には上エンドピース１３１０が設けられ、冷蔵室右扉１３００の右側には右サイドピース１３２０が設けられる。上エンドピース１３１０および右サイドピース１３２０は、樹脂材であり、角部において接続される。
冷蔵庫本体１０００の天面１０００ａには、上ヒンジ１１００が固定されている。上ヒンジ１１００は、上ヒンジ１１００と下ヒンジ（図示省略）とが相対的に回動する際の回動中心となる上ヒンジ軸である上ヒンジピン（ピボット軸）１１１０を有する。上ヒンジピン（ピボット軸）１１１０は、上エンドピース１３１０と右サイドピース１３２０との角部の、右サイドピース１３２０の内部に挿入される。
右サイドピース１３２０は、冷蔵庫本体１０００の正面から右側面１０００ｂに面一で繋がるように湾曲した外曲線部（曲面部）１３２１と、上端を水平に塞ぐ上端面１３２２と、上端面１３２２に開口され、上ヒンジ１１００の上ヒンジピン１１１０を連通させる円形の開口部１３２３と、を有する。外曲線部（曲面部）１３２１は、冷蔵室右扉１３００の開閉時に、冷蔵室右扉１３００の右端部が冷蔵庫本体１０００と視覚的に一体感を持たせるように湾曲している。
【００１２】
図７に示すように、上エンドピース１３１０の右端には、右サイドピース１３２０の上端面１３２２の背面に挿入される平板部１３１１が形成されている。平板部１３１１は、右サイドピース１３２０の外曲線部（曲面部）１３２１の内面に沿うように湾曲した端面１３１１ａと、上ヒンジ１１００の上ヒンジピン１１１０を挿通させる円形の開口部１３１１ｂと、補強用リブ１３１１ｃとが形成されている。
平板部１３１１の開口部１３１１ｂの外周からは、上ヒンジ１１００の上ヒンジピン１１１０を収容する円筒形のヒンジピン収容部１３１２が下方に突出している。図６に示すように、上ヒンジ１１００の上ヒンジピン１１１０は、右サイドピース１３２０の開口部１３２３を経て、上エンドピース１３１０の平板部１３１１のヒンジピン収容部１３１２に挿通される。
【００１３】
図６および図７に示すように、上エンドピース１３１０の内側には、冷蔵室右扉１３００に想定外の力が加わった場合であっても、冷蔵室右扉１３００が上ヒンジピン１１１０から外れてしまわないように扉脱落を防止する金具１３１３が取り付けられている。金具１３１３は、上エンドピース１３１０の背面への取付部１３１３ａと、ヒンジピン収容部１３１２の外周を覆う円形の装着部１３１３ｂと、取付部１３１３ａと装着部１３１３ｂとに段差を形成する段部１３１３ｃと、を有する。図７（ｃ）に示すように、金具１３１３は、取付部１３１３ａが上エンドピース１３１０の背面に形成された凹設部１３１１ｃに嵌め込まれ、金具１３１３の段部１３１３ｃによって外方への抜けが防止される。取付部１３１３ａは、凹設部１３１１ｃの周囲に形成された爪部１３１１ｄ（図７（ｃ）参照）によって凹設部１３１１ｃに係止される。
【００１４】
以上の構成において、右サイドピース１３２０自体が衝撃を受けて破損したり、冷蔵室右扉１３００を脱落させるような大きな外力が扉（冷蔵室右扉１３００）に加わって右サイドピース１３２０や上エンドピース１３１０が破断した場合には、ヒンジピン収容部１３１２も外方に引っ張られて変形または破損することが考えられる。このような場合であっても、ヒンジピン収容部１３１２の外周には、上エンドピース１３１０に固定された金具１３１３が取り付けられているので、金具１３１３によってヒンジピン収容部１３１２の外方への変形が抑止されるとともに、金具１３１３部分が上ヒンジピン１１１０に引っ掛かり、上ヒンジピン１１１０の脱落が防止される。すなわち、右サイドピース１３２０と上エンドピース１３１０とが破断し、ヒンジピン収容部１３１２が損傷を受けたとしても上ヒンジピン１１１０は金具１３１３部分に引っ掛かることで、冷蔵室右扉１３００が上ヒンジ１１００から脱落することを防止することができる。
【００１５】
次に、比較例の課題について説明する。
図８は、比較例の冷蔵庫本体の上ヒンジカバーを外した上ヒンジ１１００部分を上方から見た図である。図８（ａ）の寸法Ｌは、冷蔵庫本体１０００の側面から壁までの隙間、寸法ａは上ヒンジピン（ピボット軸）１１１０の中心Ｏと右サイドピース１３２０の外曲線部１３２１との間の距離を示している。また、図８（ｂ）の寸法ｂは、横方向の省スペース化を図った冷蔵庫において、上ヒンジピン１１１０の中心Ｏと右サイドピース１３２０の外曲線部１３２１との間の距離を示している。また、図８（ｂ）に示す横方向の省スペース化を図った冷蔵庫では、図８（ａ）と比較して分かるように、美観上の観点から、外曲線部１３２１Ａの曲線形状がよりフラットな形状となっている。
図８（ｂ）に示すように、冷蔵庫の横方向の省スペース化を図るためには、扉開閉時の寸法Ｌを図８（ａ）の場合よりも小さくする必要がある。また、寸法Ｌを小さくするためには、図８（ａ）の場合よりも寸法ａが小さくなるレイアウトを確保する必要がある。
【００１６】
図９は、比較例の冷蔵庫本体１０００（図６参照）の上エンドピース１３１０を透過して金具１３１３部分を上方から見た図である。図９（ａ）は、図８（ａ）に対応し、図９（ｂ）は、図８（ｂ）に対応している。
図９（ａ）に示すように、上ヒンジピン１１１０の中心Ｏと右サイドピース１３２０の外曲線部１３２１との間の寸法ａがある場合、金具１３１３の設置スペースの寸法ｃが確保される。しかしながら、冷蔵庫の横方向の省スペース化によって、図９（ｂ）の丸囲みｄに示すように、外曲線部１３２１Ａの曲線形状がよりフラットな形状に変更されると、寸法ｃ（金具設置スペース）が確保できず、金具１３１３の組み付けができなくなる課題がある。また、寸法ｃが不十分であると、金具１３１３と右サイドピース１３２０の内面とが干渉し、右サイドピース１３２０が変形または軋むことが考えられる。
【００１７】
このように、比較例の冷蔵庫本体１０００にあっては、横方向の省スペース化および外観の美観向上のために、冷蔵庫の扉の側面形状をフラットな形状にしようとした場合、扉脱落防止の金具１３１３の設置スペースが確保できないため、金具１３１３を設置することができない。金具１３１３を設置できないと、かつ扉脱落を防止することは困難である。その結果、冷蔵庫の横方向の省スペース化を図り、かつ扉脱落を防止することは困難であった。
【００１８】
以下、本実施形態について説明する。
[冷蔵庫の構成]
図１は、本実施形態の冷蔵庫の正面図である。図１に示す冷蔵庫１００は、冷蔵庫本体１の正面に、冷蔵室左扉２と、冷蔵室右扉３と、製氷室扉４と、冷凍室上段扉５と、冷凍室下段扉６と、野菜室扉７とを備えている。
冷蔵室左扉２の上部には上ヒンジ８が設けられ、下部には下ヒンジ９が設けられている。また、冷蔵室右扉３の上部には上ヒンジ１０が設けられ、下部には下ヒンジ１１が設けられている。
冷蔵室左扉２は、上ヒンジ８および下ヒンジ９により、紙面手前方向に回転可能になっている。さらに、冷蔵室右扉３は、上ヒンジ１０および下ヒンジ１１により、紙面手前方向に回転可能になっている。すなわち、冷蔵室左扉２および冷蔵室右扉３は観音開き可能に備えられ、これらと冷蔵庫本体１とにより形成される空間に、冷蔵室（図示しない）が形成されている。
【００１９】
なお、製氷室扉４、冷凍室上段扉５、冷凍室下段扉６、および野菜室扉７は紙面手前方向に引き出し可能になっている。そして、これらと冷蔵庫本体１のキャビネットとにより形成される空間に、それぞれ、冷凍室上段、冷凍室下段および野菜室（いずれも図示しない）が形成されている。キャビネットは、内箱と外箱とを組み合わせたものであり、その間に断熱部材が挟まれ、断熱箱体を構成している。
【００２０】
ここで、冷蔵室右扉３の上ヒンジ１０は、後記する扉脱落防止構造を有するが、冷蔵室左扉２の上ヒンジ８は、かかる扉脱落防止構造を有しない。すなわち、本実施形態では、冷蔵庫１００は、冷蔵室左扉２の正面にタッチパネルを有し、当該タッチパネルの基板等から伸びる配線ケーブルが冷蔵室左扉２の内部に配線され、上ヒンジ８の上ヒンジピン（図示省略）の軸芯を通って冷蔵庫本体１の天面１ａまで引き延ばされた構成を採る。この構成により、冷蔵室左扉２については、当該配線ケーブルが上ヒンジピンに引っ掛かって冷蔵室左扉２の脱落を防止する。勿論、冷蔵室右扉３の上ヒンジ１０と同様の扉脱落膨構造を冷蔵室左扉２に適用してもよい。
【００２１】
本実施形態の扉脱落防止構造は、冷蔵室右扉３の上ヒンジ１０に適用される例について説明する。なお、本扉脱落防止構造を、冷蔵室左扉２やその他の扉に同様に適用できることは言うまでもない。
また、本扉脱落防止構造は、上ヒンジを対象とするものであるため、冷蔵室左扉２の下ヒンジ９と冷蔵室右扉３の下ヒンジ１１とは、どのような構成でもよく、ここでは、下ヒンジ９と下ヒンジ１１は、左右対称で同じ構造を採る。
【００２２】
[冷蔵室右扉構造]
図２は、冷蔵室右扉３の上ヒンジ１０の構造を示す斜視図であり、図２（ａ）は上ヒンジカバーを取り付けた図、図２（ｂ）は、上ヒンジカバーを取り外した図である。
図１および図２に示すように、冷蔵室右扉３の上部には上エンドピース３１が設けられ、冷蔵室右扉３の右側には右サイドピース３２が設けられる。上エンドピース３１および右サイドピース３２は、樹脂材である。上エンドピース３１の右端部と右サイドピース３２の上端部とは、組み合わされて冷蔵室右扉３の右上角部を形成する。
上エンドピース３１は、冷蔵室右扉３の上部を略水平に覆って、冷蔵室右扉３の高さを冷蔵庫本体１の天面１ａの高さに揃え、冷蔵庫本体１の美観を向上させる。
右サイドピース３２は、冷蔵庫の正面から右側面１ｂに面一で繋がるように湾曲した外曲線部（曲面部）３２１と、右サイドピース３２の上端を水平に塞ぐ上端面３２２と、上端面３２２に開口され、上ヒンジ１０の上ヒンジピン１１０を連通させる円形の開口部３２３と、を有する。
外曲線部（曲面部）３２１は、冷蔵室右扉３の開閉時に、冷蔵室右扉３の右端部が冷蔵庫本体１と視覚的に一体感を持たせるように湾曲している。本実施形態では、冷蔵庫の横方向の省スペース化および美観上の観点から、曲線形状がよりフラットな形状となっている。
【００２３】
図１に示すように、冷蔵庫本体１の天面１ａには、上ヒンジ１０が固定されている。図２（ｂ）に示すように、上ヒンジ１０は、上ヒンジ１０と下ヒンジ１１とが相対的に回動する際の回動中心となる上ヒンジ軸である上ヒンジピン（ピボット軸）１１０と、上ヒンジピン１１０を軸支し、上ヒンジ１０を冷蔵庫本体１の天面１ａに固定するための取付部１１１と、を備える。
上ヒンジピン１１０は、比較例の場合と同様、上エンドピース３１と右サイドピース３２との接続部において、上方から右サイドピース３２の内部に挿入される。
取付部１１１は、厚みのある金属製の板材を曲げ加工して形成されている。取付部１１１は、前方に突出した半円形の先頭部１１１ａと、複数のネジ貫通孔１１１ｂと、曲げ剛性を高めるために、断面視で波状の凹凸部１１１ｃと、が形成されている。取付部１１１は、ネジ貫通孔１１１ｂを貫通したネジやボルトにより冷蔵庫本体１の天面１ａに螺着されている。
取付部１１１の先頭部１１１ａは、半円形を構成し、この半円形の先頭部１１１ａの中心部からは上ヒンジピン１１０が下方に突出している。
【００２４】
なお、上ヒンジ１０の取付部１１１の後方には、外気の温度を測定する外気温センサ（図示省略）や外気の湿度を測定する外気湿度センサ（図示省略）を収容するセンサ収容部１２１が取り付けられている。図２（ａ）に示すように、上ヒンジ１０およびセンサ収容部１２１の上部は、上ヒンジカバー２０で覆われる。
【００２５】
[上エンドピース構造]
図３は、上エンドピース３１の構成を示す斜視図であり、図３（ａ）はその要部の斜視図、図３（ｂ）は図３（ａ）のＡ−Ａ断面図である。
図３に示すように、上エンドピース３１の右端には、右サイドピース３２の上端面３２２の背面に挿入される平板部３１１が形成されている。平板部３１１は、右サイドピース３２の外曲線部（曲面部）３２１の内面に沿うように湾曲した端面３１１ａと、上ヒンジ１０の上ヒンジピン１１０を連通させる円形の開口部３１１ｂと、補強用リブ３１１ｃとが形成されている。この端面３１１ａは、右サイドピース３２の外曲線部３２１のよりフラットな形状に合わせて、曲線形状がよりフラットな形状となっている。
平板部３１１の開口部３１１ｂの外周からは、上方および下方に上ヒンジ１０の上ヒンジピン１１０を収容する円筒形のヒンジピン収容部３１２が突出形成されている。
【００２６】
ヒンジピン収容部３１２は、平板部３１１の上面から上方に突出する円形突出部３１２ａと、平板部３１１の下面から下方に延出する有底円筒部３１２ｂと、有底円筒部３１２ｂ内部の底面から内方（上方）に突出するネジボス３１２ｃ（図３（ｂ）参照）と、ネジボス３１２ｃ内部の底に形成された切り子溜口３１２ｄ（図３（ｂ）参照）と、有底円筒部３１２ｂの外筒底部に形成されたリブ３１２ｅと、を備える。
【００２７】
ネジボス３１２ｃには、ネジ３１３（棒状部材）が螺着されている。ネジ３１３は、有底円筒部３１２ｂの深さとほぼ同じ軸寸法を有する。ネジ３１３は、右サイドピース３２と上エンドピース３１が破断した際に、上ヒンジピン１１０の内壁（後記する図４および図５参照）に引っ掛かって扉脱落を防止するための剛性部材（例えば鉄芯）である。すなわち、ネジ３１３は、部材同士の締結を目的として配置されるものではなく、上ヒンジピン１１０の当該内壁に引っ掛かって扉脱落を防止するための棒状部材である。したがって、剛性の高い棒状部材であればよく、例えば、ネジ３１３に代えて鉄芯等を使用し、この鉄芯等をネジボス３１２ｃに圧入する構成でもよい。また、本実施形態では、ネジ３１３のネジ頭３１３ａがネジボス３１２ｃのネジ挿入端部に接しているが、ネジ３１３を確実に屹立させるものであれば、ネジボス３１２ｃはどのような形状でもよい。
【００２８】
本実施形態では、ヒンジピン収容部３１２の有底円筒部３１２ｂの底部にネジボス３１２ｃを設け、このネジボス３１２ｃにネジ３１３を組み付けることで、上ヒンジピン１１０の内壁への引っ掛かりを簡易な構成で実現することができる。一般に、ネジ止めによる取り付けは、圧入等による取付けよりも確実性や汎用性があり低コストである。なお、ネジ３１３の組み付けの際の切り子は、そのまま切り子溜口３１２ｄに残留させておけばよく、工数の削減を図ることができる。
また、有底円筒部３１２ｂの外筒底部は、周囲が冷蔵室右扉３内部に充填される断熱ウレタンに囲まれている。リブ３１２ｅを設けることで、有底円筒部３１２ｂの外筒底部を断熱ウレタンに、より密着させることができる。
【００２９】
[扉脱落防止構造]
<冷蔵室右扉の取付>
図４は、冷蔵室右扉３の脱落防止構造を示す斜視図である。図５は、図４のＢ−Ｂ断面図である。
図４および図５に示すように、上エンドピース３１の右端の平板部３１１が右サイドピース３２の上端面３２２で覆われるように組み合わされて冷蔵室右扉３の右上角部が形成される。上エンドピース３１の平板部３１１の開口部３１１ｂの外周からは、上方および下方に円筒形のヒンジピン収容部３１２が突出している。そして、上エンドピース３１のヒンジピン収容部３１２の円形開口部の上端は、右サイドピース３２の上端面３２２に揃えられる。また、上エンドピース３１の平板部３１１の開口部３１１ｂと右サイドピース３２の上端面３２２の開口部３２３とは、上方向から見て上ヒンジピン１１０の軸方向に揃うように重ねられて配置される。
【００３０】
ここで、ヒンジピン収容部３１２の有底円筒部３１２ｂの底部には、ネジボス３１２ｃが突設されており、このネジボス３１２ｃにはネジ３１３が螺着されている。ネジ３１３は、ネジ頭３１３ａが、上ヒンジ１０の上ヒンジピン１１０の外筒部分をヒンジピン収容部３１２の内周面との間で挟み込み、かつ上ヒンジピン１１０の内部に所定以上の深さまで（高さ方向で、上エンドピース３１の平板部３１１の近傍に達するまで）で挿入されている。
【００３１】
図５に示すように、冷蔵室右扉３に上エンドピース３１および右サイドピース３２が取り付けられた状態で、上ヒンジ１０の上ヒンジピン１１０が、右サイドピース３２の開口部３２３を介して上エンドピース３１のヒンジピン収容部３１２に挿通される。そして、図５に示すように、上ヒンジ１０の取付部１１１のネジ貫通孔１１１ｂをネジ１１５によりネジ止めすることで、冷蔵庫本体１の天面１ａに固定される。
以上により、冷蔵室右扉３は、上ヒンジ１０と下ヒンジ１１（図１参照）からなるピボット軸により、冷蔵庫本体１正面の右側で軸支され、右側に観音開きが可能になる。
【００３２】
<扉脱落防止構造>
冷蔵室右扉３を含む冷蔵庫本体１の各扉は、通常の使用においては、冷蔵庫本体１から脱落してしまうことはない。
しかしながら、例えば右サイドピース３２が衝撃を受けて破損したり、大きな外力が冷蔵室右扉３に加わって右サイドピース３２と上エンドピース３１とが破断した場合には、ヒンジピン収容部３１２も外方に引っ張られて変形または破損することが考えられる。
【００３３】
本実施形態では、上エンドピース３１のヒンジピン収容部３１２の有底円筒部３１２ｂの底部にヒンジピン収容部３１２の内部に向かって屹立するネジ３１３（棒状部材）を取付け、このネジ３１３の周囲を上ヒンジ１０の上ヒンジピン１１０の外周部が取り囲む扉脱落防止構造を採る。また、上エンドピース３１のヒンジピン収容部３１２は、右サイドピース３２の上端面３２２の開口部３２３に連通される。すなわち、上エンドピース３１のヒンジピン収容部３１２は、上ヒンジ１０の上ヒンジピン１１０を軸支するピボット軸の軸受としての本来の機能に加え、ヒンジピン収容部３１２の底部から上ヒンジピン１１０の円筒内部に突出する鉄芯等の剛性部材（ここではネジ３１３）を取り付けた扉脱落防止機能も有する。
本扉脱落防止機能により、仮にヒンジピン収容部３１２が破損した場合であってもネジ３１３（棒状部材）が上ヒンジピン１１０の円筒内部の内壁に引っ掛かり、上ヒンジピン１１０のヒンジピン収容部３１２からの脱落を防止することができる。
【００３４】
以上説明したように、本実施形態の冷蔵庫１００は、上エンドピース３１のヒンジピン収容部３１２の有底円筒部３１２ｂの底部にヒンジピン収容部３１２の内部に向かって屹立するネジ３１３（棒状部材）を取付け、このネジ３１３の周囲を上ヒンジ１０の上ヒンジピン１１０の外周部が取り囲む扉脱落防止構造を備える。
この構成により、扉脱落防止金具を不要としつつ、確実な扉脱落防止を図ることができる。扉脱落防止金具を設けないので、右サイドピース３２の外曲線部３２１をよりフラットな形状にすることができ、冷蔵庫の横方向の省スペース化および外観の美観を向上させることができる。また、扉脱落防止金具が不要になることで、金具部分のコスト低減および組み立て工数の削減を図ることができる。
【００３５】
以上、本実施形態について図面を参照しながら説明したが、本実施形態は前記の内容に何ら限定されるものではない。したがって、本発明には、様々な変形例が含まれる。すなわち、前記の実施形態は本発明をわかりやすく説明するために詳細に説明したものであり、必ずしも説明したすべての構成を備えるものに限定されるものではない。
【００３６】
例えば、冷蔵庫の扉のヒンジ構造として上ヒンジ１０を挙げたが、ピボット軸を有するヒンジであればよく、冷蔵室左扉２の上ヒンジ８など他の扉に適用してもよい。
【００３７】
これらの他にも、ある実施形態の構成の一部を他の実施形態の構成に置換することが可能であり、また、ある実施形態の構成に他の実施形態の構成を加えることも可能である。さらには、各実施形態の構成の一部について、他の構成を追加、削除、置換等することもできる。
例えば、本実施形態では、冷凍庫を備える冷蔵庫への適用例を挙げたが、扉を備える冷蔵庫であれば同様に適用することが可能である。
【符号の説明】
【００３８】
１  冷蔵庫本体
１ａ  天面
１ｂ  右側面
２  冷蔵室左扉（扉）
３  冷蔵室右扉（扉）
８  上ヒンジ
９，１１  下ヒンジ
１０  上ヒンジ（ヒンジ部材）
３１  上エンドピース
３２  右サイドピース
１００  冷蔵庫
１１０  上ヒンジピン（ピボット軸）
３２１  外曲線部
３１２  ヒンジピン収容部
３１２ａ  円形突出部
３１２ｂ  有底円筒部
３１２ｃ  ネジボス
３１２ｄ  切り子溜口
３１２ｅ  リブ
３１２ｅと、を備える。
３１３  ネジ（棒状部材）
３２１  外曲線部（曲面部）
３２２  上端面
３２３  開口部
【図１】
0006389398.tif 000002
【図２】
0006389398.tif 000003
【図３】
0006389398.tif 000004
【図４】
0006389398.tif 000005
【図５】
0006389398.tif 000006
【図６】
0006389398.tif 000007
【図７】
0006389398.tif 000008
【図８】
0006389398.tif 000009
【図９】
0006389398.tif 000010